(57)【要約】  【課題】  ストロボ装置やライトなどの付属部品が取り付けられる撮像装置の取付部において、該付属部品への電気信号を伝達するための接点部材を、雨水などの水滴から保護する。  【解決手段】  ストロボ装置や照明具などの付属部品と撮像装置の取付部の周囲を、筒状の上被覆部２０と、錐体形状の下被覆部１６とから構成された防滴カバー１５によって覆い、上被覆部２０の開口端部を上記取付部よりも高位置に設けると共に、付属部品本体５に嵌脱自在に嵌合させ、下被覆部１６の開口端部を下側に向かうにしたがって上被覆部２０の開口端部よりも大きく開口すると共に、その開口端部を上記取付部よりも低位置に設ける。【選択図】図１
2007156216.tif 000002
【特許請求の範囲】
【請求項１】
ストロボ装置や照明具などの付属部品に電気信号を伝達するための接点部材を有する、撮像装置とその付属部品の取付部の防滴構造であって、
上記取付部の周囲を覆う防滴カバーが設けられてなることを特徴とする撮像装置とその付属部品の取付部の防滴構造。
【請求項２】
上記防滴カバーにおいて、付属部品側の開口端部、又は撮像装置側の開口端部の少なくとも一方と、付属部品、又は撮像装置の少なくとも一方とが嵌脱できるよう構成されてなることを特徴とする請求項１に記載の撮像装置とその付属部品の取付部の防滴構造。
【請求項３】
上記防滴カバーにおいて、付属部品側の開口端部が、付属部品に突設された環状の壁部によって覆われてなることを特徴とする請求項１又は２に記載の撮像装置とその付属部品の取付部の防滴構造。
【請求項４】
上記防滴カバーにおいて、撮像装置側の開口端部に、その開口端部の周縁部に沿って環状の溝が設けられ、さらに、該溝に連通する逃がし溝、又は排水口が設けられてなることを特徴とする請求項１乃至３のいずれか１項に記載の撮像装置とその付属部品の取付部の防滴構造。
【発明の詳細な説明】
【技術分野】
【０００１】
本発明は、例えば一眼レフカメラなどの撮像装置と、ストロボ装置や照明具などの付属部品との取付部において、該取付部に設けられた、撮像装置と付属部品との間で電気信号を相互に伝達するための接点部材を雨水などの水滴から保護するための防滴構造に関する。
【背景技術】
【０００２】
一般に、撮像装置、例えば図７（ａ）〜（ｃ）に示すようなカメラは、カメラ本体１の上部に突出して設けられたペンタプリズム収納部２と、該ペンタプリズム収納部２の頂部に設けられた平坦な座部２ａと、該座部２ａの両側に設けられた矩形Ｃ字形状のアクセサリ・シュー３と、座部２ａの略中央に植設された、電気信号を伝達するための複数の接点４とを備えている。
【０００３】
また、アクセサリ・シュー３に取り付けられるストロボ装置は、ストロボ装置本体５と、該ストロボ装置本体５の下面に設けられた接続部８とを備えている。ストロボ装置本体５は、直立した角柱状の基部６と、該基部６の上端部に水平に設けられたヘッド７を有しており、ヘッド7には、キセノンランプなどの光源が備えられ、この光源からの発光光が被写体に照射されるようになっている。
【０００４】
該接続部８は、基部６の下面の中央部に突設された、基部６よりも小さい角柱状の支持部９と、該支持部９の中央部に突出して形成された略逆Ｔ字形状の脚部１０とを有している。
【０００５】
さらに、脚部１０には、カメラの複数の接点４とそれぞれ接触するよう、バネによって進出方向に常時付勢された進退可能な接片１１が設けられているものが公知になっている（特許文献１参照）。なお、カメラの接点４、ストロボ装置のバネ、接片１１を含めて接点部材という。
【０００６】
そして、アクセサリ・シュー３にストロボ装置の脚部１０の両側の凸端部をスライドさせて、カメラの接点４にストロボ装置の接片１１を接触させて接続することにより、カメラとストロボ装置との間で電気信号を相互に伝達できるようにし、夜間や暗所などの光量不足時にストロボ装置を使用できるようにしている。
【特許文献１】特開平１０−４８７０７号公報
【発明の開示】
【発明が解決しようとする課題】
【０００７】
しかしながら、上記一眼レフカメラの場合、例えばアクセサリ・シュー３にストロボ装置を取り付けた状態で雨天撮影した場合、アクセサリ・シュー３とストロボ装置の脚部１０との隙間に雨水による水滴が浸入し、上記複数の接点部材同士がショートして、ストロボ装置の正常な動作に支障を来すおそれがある。
【０００８】
そこで、本発明は上記問題点に鑑み、ストロボ装置などの付属部品が取り付けられる撮像装置の取付部において、該付属部品に電気信号を伝達するための接点部材間の、雨水などの水滴による回路短絡を防止することができる撮像装置とその付属部品の取付部の防滴構造を提供することを目的とする。
【課題を解決するための手段】
【０００９】
上記課題を解決するために、本発明に係る撮像装置とその付属部品の取付部の防滴構造は、ストロボ装置や照明具などの付属部品に電気信号を伝達するための接点部材を有する、撮像装置とその付属部品の取付部の防滴構造であって、上記取付部の周囲を覆う防滴カバーが設けられてなることを特徴とする。
【００１０】
したがって、防滴カバーにより取付部が覆われるので、防滴カバーによって取付部が水滴から保護されて、回路短絡を防止できる。
【００１１】
また本発明は、防滴カバーにおいて、付属部品側の開口端部、又は撮像装置側の開口端部の少なくとも一方と、付属部品、又は撮像装置の少なくとも一方とを嵌脱できるような構成を採用することができる。
【００１２】
そうすれば、防滴カバーは、撮像装置又はストロボ装置の少なくとも一方に装着されることで、固定されるようになる。さらに、嵌脱構造によって防滴カバーの取り付けおよび取り外しが容易となる。
【００１３】
また本発明は、防滴カバーにおいて、付属部品側の開口端部が、付属部品本体に突設された環状の壁部によって覆われる構成を採用することができる。
【００１４】
この場合、付属部品本体に突設された壁部によって防滴カバーの付属部品側の開口端部が覆われることで、付属部品本体の壁部によって雨水などの水滴が遮断されるようになり、防滴カバーの付属部品側の開口端部によって水滴の回り込みによる内部への浸入を阻止できるようになる。
【００１５】
また本発明は、防滴カバーにおいて、撮像装置側の開口端部に、その開口端部の周縁部に沿って環状の溝を設け、該溝に連通する逃がし溝、又は排水口を設ける構成を採用することができる。
【００１６】
この場合、防滴カバーにより防滴された水滴が溝で受け止められ、逃がし溝や排水管に案内されて排出される。したがって、防滴カバーにより防滴された水滴がカメラ本体にかかり、カメラ本体のレンズ取付部や操作ボタンの隙間からカメラ本体の内部に水が浸入する心配を減らすことができる。なお、逃がし溝および排水管３７は、カメラ本体のレンズ取付部や操作ボタンを避けて配置するのが好ましい。
【発明の効果】
【００１７】
以上説明したように、本発明のストロボ装置と撮像装置の取付部の防滴構造によれば、防滴カバーによって、取付部の周囲を覆うようにしたので、雨水などによる取付部への水滴の浸入を防止できて、ストロボ装置や照明具などの付属部品に電気信号を伝達するための接点部材間の短絡を防止できる効果がある。
【発明を実施するための最良の形態】
【００１８】
（実施形態１）
以下、本発明の実施形態１について、図１〜図３を参照して説明する。これらの図において図７と同一符号は同一、もしくは相当するものを示し、異なる点は、ストロボ装置とカメラとの取付部が防滴カバー１５によって覆われ、該防滴カバー１５と、ストロボ装置本体５とが嵌脱自在な構成になっている点である。以下これらの構成について説明する。
【００１９】
ストロボ装置本体５は、その下面において、後述する防滴カバー１５の嵌合凸部２４が嵌合する断面Ｌ字形状の取付用リブ１２が角環状に設けられている。
【００２０】
防滴カバー１５は、例えばゴム部材やエラストマーなどの柔軟性を有する材料によって作製され、台錐形状の下被覆部１６と、該下被覆部１６に一体成形された角筒状の上被覆部２０とを備えている。
【００２１】
下被覆部１６は、平面視矩形状の上壁部１７と、該上壁部１７の端縁部から斜め下方に延設された前後左右の側壁部１８ａ〜１８ｄとを有している。そして、上壁部１７には、その後部に四角形状の開口部１９が形成されている。前壁部１８ａ、左右の側壁部１８ｂ、１８ｃ、及び後壁部１８ｄは、下側に向かうにしたがって大きく開口しており、これら各壁部１８ａ〜１８ｄによる開口端部がカメラのペンタプリズム収納部２の上側を覆って、各壁部１８ａ〜１８ｄによる開口端部から内部（カメラとストロボ装置との取付部）への水滴の回り込みを防止している。
【００２２】
上被覆部２０は、その周縁部が、下被覆部１６の開口部１９の周縁部に沿うように一体化された角筒状部２１と、該角筒状部２１の後側壁部に突設された立上げ部２２と、角筒状部２１、及び立上げ部２２によって形成された四角形状の開口部２３と、該開口部２３の内周面に沿って設けられた環状の嵌合凸部２４とを有している。
【００２３】
そして、上被覆部２０の開口部２３と下被覆部１６の開口部１９とは略同一形状で、上被覆部２０の開口部２３の真下に、下被覆部１６の開口部１９が位置し、開口部２３，１９、各壁部１８ａ〜１８ｄで覆われた開口部がそれぞれ連通している。
【００２４】
さらに、嵌合凸部２４の上端面がストロボ装置本体５の下面に略密接した状態でストロボ装置本体５の取付用リブ１２に対して上から嵌合する。このため、水滴の上からの回り込みによる各接点部材間への浸入を防止できる。
【００２５】
このように、下被覆部１６及び上被覆部２０によって、カメラとストロボ装置との取付部が覆われるので、水滴によって浸漬され回路が短絡する心配を減らすことができる。
【００２６】
つぎに使用態様について説明する。ストロボ装置本体５の取付用リブ１２に防滴カバー１５の上被覆部２０の周縁部を変形させて、いわゆる無理嵌合にて嵌合させ、ストロボ装置本体５に防滴カバー１５を装着する。この状態で、ストロボ装置の脚部１０をカメラのアクセサリ・シュー３にスライドさせて取り付ける。その際、防滴カバー１５の下被覆部１６が邪魔になる場合は、下被覆部１６を一旦、ストロボ装置本体５側へ反り返らせてからストロボ装置の脚部１０をカメラのアクセサリ・シュー３に取り付け、その後、下被覆部１６を元の形状に戻す。
【００２７】
もしくは、防滴カバー１５の開口部１９がカメラのアクセサリ・シュー３の上方に位置するようカメラに防滴カバー１５を載置した状態で、ストロボ装置の接続部８を防滴カバー１５の開口部１９に挿入しつつ、ストロボ装置の脚部１０をカメラのアクセサリ・シュー３にスライドさせて取り付けた後、防滴カバー１５の上被覆部２０の周縁部を変形させて、ストロボ装置本体５の取付用リブ１２に嵌合させ、ストロボ装置本体５に防滴カバー１５を装着するようにしてもよい。
（実施形態２）
つぎに実施形態２について図４及び図５を参照して説明する。これらの図において、図１〜図３と同一符号のものは説明を省略し、異なる点のみを以下に説明する。
【００２８】
ストロボ装置本体５は、その下面に環状の壁部１３が下方に突設（垂下）されている。一方、防滴カバー１５は、その上被覆部２０の角筒状部２５がストロボ装置本体５の壁部１３よりも内方に位置すると共に、上被覆部２０の角筒状部２５の開口端面がストロボ装置５の下面に密接している。さらに、下被覆部１６の両側壁部１８ｂ，１８ｃの下端部から一体的に脚部２６が延設され、該脚部２６の下端部に略コ字形状の嵌合部２７が水平に設けられている。
【００２９】
つぎに使用態様について説明する。カメラのペンタプリズム収納部２の両側におけるカメラ本体１の上壁部に、防滴カバー１５の嵌合部２７を嵌合させて、防滴カバー１５の位置固定を行う。この際、防滴カバー１５の、上被覆部２０の開口部２３及び下被覆部１６の開口部１９が、アクセサリ・シュー３の真上に位置し、しかも、ストロボ装置本体５の下面に密接すると共に、壁部１３の内方に位置する。
【００３０】
そして、ストロボ装置の接続部８を、防滴カバー１５の上被覆部２０の開口部２３及び下被覆部１６の開口部１９に挿入し、防滴カバー１５の開口端部を変形させて、アクセサリ・シュー３にストロボ装置の脚部１０をスライドさせて取り付ける。
【００３１】
よって、ストロボ装置本体５の壁部１３によって雨水などの水滴の浸入が阻止できる一方、防滴カバー１５の下被覆部１６によって水滴の浸入が阻止できる。
【００３２】
なお、本発明はもちろん、上記実施形態に限定されるものではなく、本発明の要旨を逸脱しない範囲で種々の変更が可能である。
【００３３】
例えば、他の変形例として、図１の一点鎖線に示すように、ストロボ装置本体５の前後左右の各側壁１８ａ〜１８ｄの下部に、その周囲に亘って断面逆Ｌ字形状の突片３０を形成し、該突片３０に環状の係止溝３１を形成すると共に、該係止溝３１に、角筒状の防滴カバー３２の上端部に形成された環状の係止凸部３３を係脱するようにしてもよい。
【００３４】
なお、前記実施形態１，２の場合、上被覆部２０及び下被覆部１６のみを構成とする防滴カバー１５を説明したが、図６（ａ）、（ｂ）に示すように、下被覆部１６の周縁部に沿って水滴を貯留するための溝３５を設けると共に、この溝３５に、逃がし溝３６や排水口を有する排水管３７を設けるようにしてもよい。逃がし溝３６および排水管３７は、カメラ本体１のレンズ取付部や操作ボタン（図示せず）を避けて配置する。この場合、防滴カバー１５により防滴された水滴が下被覆部１６の斜面を伝って溝３５で受け止められ、逃がし溝３６や排水管３７に案内されて排出される。したがって、防滴カバー１５により防滴された水滴がカメラ本体１にかかり、カメラ本体１のレンズ取付部や操作ボタン（図示せず）の隙間からカメラ本体１の内部に水が浸入する心配を減らすことができる。
【００３５】
また、図６（ａ）、（ｂ）に示すように、カメラ本体１のファインダー（図示せず）に邪魔にならないよう、該ファインダーの上方に位置する防滴カバー１５の後壁部１８ｄを湾曲させるようにしてもよい。この場合、防滴カバー１５の壁部１８ｄによって邪魔されることなく撮影者はファインダーを覗くことができるので、撮影時に支障をきたすことがない。
【産業上の利用可能性】
【００３６】
本発明の撮像装置とその付属部品の取付部の防滴構造は、一眼レフカメラ、ストロボ内蔵カメラ、ビデオカメラ、ディジタルカメラなどに、ストロボ装置やライトなどの付属部品を取り付けて、雨天、湿度の高い場所、水しぶきがかかりやすい場所などの撮影に特に有用である。
【図面の簡単な説明】
【００３７】
【図１】本発明の実施形態１に係る撮像装置とその付属部品の取付部の防滴構造を示した断面図であって、（ａ）はその断面正面図（ｂ）はその断面側面図、（ｃ）はその拡大断面正面図
【図２】図１の底面からの見た付属部品の斜視図
【図３】防滴カバーの斜視図
【図４】本発明の実施形態２に係る撮像装置とその付属部品の取付部の防滴構造を示した斜視図
【図５】図４の拡大断面正面図
【図６】防滴カバーの変形例を示した斜視図であって、（ａ）は被写体側から見た斜視図、（ｂ）は撮影者側から見た斜視図
【図７】従来例の撮像装置とその付属部品の取付部を示した断面であって、（ａ）はその断面正面図、（ｂ）はその断面側面図、（ｃ）はその拡大断面正面図
【符号の説明】
【００３８】
１  カメラ本体（撮像措置本体）
４  接点（接点部材）
５  ストロボ装置本体（付属部品本体）
１１  接片（接点部材）
１２  取付用リブ
１３  壁部
１５  防滴カバー
１６  下被覆部
２０  上被覆部
２４  嵌合凸部
２７  嵌合部
３０  突片
３１  係止溝
３２  防滴カバー
３３  係止凸部
３５  溝
３６  逃がし溝
３７  排水管
【図１】
2007156216.tif 000003
【図２】
2007156216.tif 000004
【図３】
2007156216.tif 000005
【図４】
2007156216.tif 000006
【図５】
2007156216.tif 000007
【図６】
2007156216.tif 000008
【図７】
2007156216.tif 000009